(57)【要約】【課題】  主として飲料カップ等の飲物容器や小物を保持するために使用されるカップホルダの上面開口部を簡単な操作によって開閉されるようにし、かつ、カップホルダの意匠性が損なわれない構成とする。【解決手段】  飲物容器を載置可能に有底で上面が開口された箱形状に形成されており、飲物容器を挿入する上面開口部１１が蓋部材３０により開閉可能とされているカップホルダ１０であって、蓋部材３０は板状に形成されており、箱形状を形成するリテーナー４０に水平方向に移動可能に設置されており、かつ、上面開口部１１にはその開口周りにリング状の操作部材２０が回動可能に配置されており、操作部材２０の回動運動を蓋部材３０の水平方向移動運動に変換して伝達する歯車５０等の構成により操作部材２０と蓋部材３０とが連結され、操作部材２０の回動操作により蓋部材３０が上面開口部１１を開閉するものである。【選択図】        図１
2005297812.tif 000002
【特許請求の範囲】
【請求項１】
飲物容器を載置可能に有底で上面が開口された箱形状に形成されており、飲物容器を挿入する上面開口部が蓋部材により開閉可能とされているカップホルダであって、
前記上面開口部を開閉する蓋部材は板状に形成されており、前記箱形状を形成する構成部材に水平方向に移動可能に設置されており、かつ、
前記上面開口部にはその開口周りにリング状の操作部材が回動可能に配置されており、該操作部材の回動運動を前記蓋部材の水平方向移動運動に変換して伝達する変換伝達機構により操作部材と蓋部材とが連結され、該操作部材の回動操作により蓋部材が上面開口部を開閉することを特徴とするカップホルダ。
【請求項２】
請求項１に記載のカップホルダであって、
前記変換伝達機構は歯車伝達の組合わせで構成されていることを特徴とするカップホルダ。
【請求項３】
請求項１または請求項２に記載のカップホルダであって、
前記蓋部材は２つの部材から成り、前記リング状の操作部材の回動操作を行うと該２つの蓋部材が共に相対的に接近方向または離間方向に水平方向移動運動を行うように構成され、該２つの蓋部材が突合わされて前記上面開口部が閉鎖されることを特徴とするカップホルダ。
【請求項４】
請求項１から請求項３のいずれかに記載のカップホルダであって、
前記変換伝達機構は、流動体を用いたダンパー手段が設けられていることを特徴とするカップホルダ。
【発明の詳細な説明】
【技術分野】
【０００１】
本発明は、カップホルダに関する。詳しくは、自動車の車両室内に設置されて、各種の飲料カップ等の飲物容器を載置した状態で保持することのできるカップホルダに関する。
【背景技術】
【０００２】
従来より、例えば、自動車の車両室内には、インストルメントパネルやコンソールボックス等の所定の箇所において、飲料カップ等の飲物容器を一時的に保持しておくためのカップホルダが設置されている。詳しくは、カップホルダは、ホルダ本体に円形等の形状を有したカップ受穴が形成されている。そして、使用時には、飲物容器をこのカップ受穴内に落とし込むようにしてセットすることで、カップ受穴と飲物容器の胴部（外側面）とを係止させて保持状態にすることができるようになっている。また、カップホルダが有底形状のものである場合、カップ受穴内に落とし込まれた飲物容器は、カップ受穴及び／又はカップホルダの底面によって側方や下方から支持され載置される。
また、例えば、後記特許文献１に示すように、カップホルダのホルダ部分をカップ受穴の内部に対し出没動できるようにしたものもある。すなわち、上述のようにカップ受穴内に飲物容器を落とし込んでセットする際に、飲物容器の胴部の径がカップ受穴の穴径よりも小となる場合、飲物容器の胴部とホルダ部分との間に隙間が形成されて安定的に保持することができない。したがって、この開示では、カップ受穴に合わせて形成されたリング状の操作部材の回動操作によって、ホルダ部分をカップ受穴の内部に対して出没動できるようにし、実質的なカップ受穴の径の広狭を調整して保持状態を安定させるようにしている。すなわち、これにより異なる径の飲物容器（大中小サイズの各種飲料カップや飲料缶など）に対して、カップ受穴の実質的な径をそれぞれの飲物容器の胴部の径に合わせて簡単に調整することができる。したがって、様々な大きさの飲物容器を、簡単な操作によって、安定した保持状態とすることができる。
ところで、カップホルダがコンソールボックスに設置されるタイプの場合、実際の使用時には、飲物容器の保持用に供されるに留まらず、容器形状（有底筒形状）であることを利用して、例えば、車両室内における小物入れや小銭入れとして活用されることもある。なお、この種の関連技術としては後記特許文献２が挙げられる。
【０００３】
【特許文献１】実開平１−１７３０２９号公報
【特許文献２】特開平１０−２２６２６０号公報
【発明の開示】
【発明が解決しようとする課題】
【０００４】
しかしながら、上記従来の技術（特許文献１に開示された技術）は、カップホルダを使用しない場合であっても、常にカップ受穴が外部に対して開口した状態とされているため、不使用時に、カップ受穴内（手が届き難い狭い穴内）にゴミや埃が入って溜まったりして見栄えを悪くすることがあった。
また、カップホルダをガムやライターなどの小物入れや小銭入れとして活用する場合には、カップ受穴に入れた物が車外に対して露出した状態（車外から目に付く状態）となってしまう。したがって、このようにカップ受穴を露出した状態にしておくことは、車内インテリアとしての見栄えを損なうことになる。また、これら小物や小銭（貴重品）が車外からの視界に入ることにより、車上狙いに遭う危険性も高くなる。したがって、これら貴重品などは、車内車外を問わず他の者に対して隠蔽した状態にしておくことが好ましい場合がある。しかし、その一方では、乗車の都度、ダッシュボード等の収容ケース内に貴重品を出入れすることは非常に面倒であり、思わずこれら貴重品をカップホルダに入れてしまうというのが実情である。
更に、上記特許文献２では、コンソールボックスに配置されるカップホルダのカップ受穴の上面開口部に、手動操作用の摘み部を有したスライド板（蓋）を設けたものが開示されている。この開示によれば、必要時にこのスライド板の摘み部を摘んで手動操作することにより、カップ受穴の上面開口部を開閉できるようにしている。しかしながら、スライド板にこのような摘み部が形成されていることは、カップホルダ全体の見栄えを損ねるものであり、また、摘み部を把持しながらスライド板自体を手動操作することは、機能感や品質感を欠乏させるものであり、操作も面倒なものであった。
【０００５】
本発明は、上記した問題を解決するものとして創案されたものであって、本発明が解決しようとする課題は、主として飲料カップ等の飲物容器や小物を保持するために使用されるカップホルダの上面開口部を簡単な操作によって開閉されるようにし、かつ、カップホルダの意匠性が損なわれない構成とすることにある。
【課題を解決するための手段】
【０００６】
上記課題を解決するために、本発明のカップホルダは次の手段をとる。
先ず、本発明の第１の発明は、飲物容器を載置可能に有底で上面が開口された箱形状に形成されており、飲物容器を挿入する上面開口部が蓋部材により開閉可能とされているカップホルダであって、上面開口部を開閉する蓋部材は板状に形成されており、箱形状を形成する構成部材に水平方向に移動可能に設置されており、かつ、上面開口部にはその開口周りにリング状の操作部材が回動可能に配置されており、操作部材の回動運動を蓋部材の水平方向移動運動に変換して伝達する変換伝達機構により操作部材と蓋部材とが連結され、操作部材の回動操作により蓋部材が上面開口部を開閉するものである。
この第１の発明によれば、板状に形成された蓋部材は、リング状の操作部材の回動操作に連動して水平方向移動運動を行う。詳しくは、リング状の操作部材と蓋部材は変換伝達機構によって連結されており、操作部材の回動運動が蓋部材の水平方向移動運動に変換される。したがって、飲物容器を挿入する上面開口部は、この蓋部材の水平方向移動運動により開閉される。
【０００７】
次に、本発明の第２の発明によれば、上述した第１の発明において、変換伝達機構は歯車伝達の組合わせで構成されているものである。
この第２の発明によれば、操作部材の回動操作を行うと、この回動運動は、変換伝達機構の歯車の伝達によって、蓋部材の水平方向移動運動として変換されて伝達される。
【０００８】
次に、本発明の第３の発明によれば、上述した第１または第２の発明において、蓋部材は２つの部材から成り、リング状の操作部材の回動操作を行うと２つの蓋部材が共に相対的に接近方向または離間方向に水平方向移動運動を行うように構成され、２つの蓋部材が突合わされて上面開口部が閉鎖されるものである。
この第３の発明によれば、操作部材の回動操作を行うと、２つの部材から成る蓋部材は、共に相対的に接近方向または離間方向に水平方向移動運動を行う。そして、２つの蓋部材が突合わされることにより上面開口部が閉鎖された状態となる。したがって、上面開口部を閉鎖状態とするための蓋部材の移動量が少なくて済む。すなわち、上面開口部の開閉操作に必要な操作部材の回動操作量が少なくて済む。
【０００９】
次に、本発明の第４の発明によれば、上述した第１から第３のいずれかの発明において、前記変換伝達機構は、流動体を用いたダンパー手段が設けられているものである。
この第４の発明によれば、操作部材と蓋部材とを連結する変換伝達機構にダンパー手段が接続されているため、操作部材の回動操作に対して一定の回動抵抗力が付与される。
【発明の効果】
【００１０】
本発明は上述した手段をとることにより、次の効果を得ることができる。
先ず、本発明の第１の発明によれば、操作部材の回動操作を行うだけで、蓋部材を移動させてカップホルダの上面開口部を開閉することができる。また、上面開口部から挿入されて載置された飲物容器は、この開閉移動される蓋部材を胴部に当接させることで側方から支持した保持状態とすることができる。したがって、様々な大きさの飲料容器を安定的に保持する機能を有しつつ、簡単な操作によってカップホルダの上面開口部を開閉することができる。また、上面開口部を開閉可能な蓋部材には摘み部等の形状を形成する必要がないため、カップホルダの見栄えが損なわれない。加えて、カップホルダの開閉操作に対する機能感や品質感も向上する。
次に、本発明の第２の発明によれば、カップホルダの上面開口部を開閉するための機構を比較的簡単な構成とすることができ、操作性も向上する。
次に、本発明の第３の発明によれば、開閉操作に必要な操作部材の回動量が少なく済むため、操作性がより一層向上する。
次に、本発明の第４の発明によれば、操作部材の開閉操作に対して一定の回動抵抗が与えられるため、操作感が向上し、蓋部材の良好な開閉がなされる。
【発明を実施するための最良の形態】
【００１１】
以下に、本発明を実施するための最良の形態の実施例について、図面を用いて説明する。
図１〜図６は、カップホルダ１０の一実施例を示すものである。図１はカップホルダ１０の外観を示す斜視図、図２はカップホルダ１０の主要部についての分解斜視図、図３は図１の平面図、図４は図３のＡ−Ａ線断面図、図５はカップホルダ１０の開閉操作に伴う蓋部材３０の変位態様を示す図、図６はカップホルダ１０の使用状態を示す図である。
本実施例のカップホルダ１０は、図１に良く示されるように、有底で上面が開口形状とされるカップ保持具７０の上部に、開口を同じくしたリテイナー４０（開口部４１）が設けられて上面開口部１１を形成している。また、図１及び図２に良く示されるように、上面開口部１１には、その開口周りにリング状の操作部材２０（中央の開口部２１によって上面開口部１１を形成している）が回動可能に配置されている。なお、本実施例においては、カップホルダ１０全体としての開口部を表す概念として上面開口部１１を用い、各構成要素に形成された単独の開口部を表す概念として開口部２１，４１を用いる。
したがって、この上面開口部１１に飲物容器８０を挿入する（図６参照）ことで、飲物容器８０を、カップ保持具７０に形成された底面の上に載置することができる。また、リテイナー４０に形成された案内部４２には、２部材から成る板状の蓋部材３０が水平方向に挿入されており、これら蓋部材３０のそれぞれが、歯車５０を介して操作部材２０に連結された構成となっている。したがって、このように構成されたカップホルダ１０は、操作部材２０を回動操作することで、蓋部材３０をこれに連動させて水平方向に移動させ、上面開口部１１を開閉できるようになっている。なお、これら操作部材２０の回動運動を蓋部材３０の水平方向移動運動に変換して伝達する歯車５０等の構成（歯車５０と連結状態にある操作部材２０の歯部２３、及び蓋部材３０の歯部３２ａ）が、本発明の変換伝達機構に相当する。
【００１２】
以下、上記カップホルダ１０の各部の構成について詳細に説明する。
先ず、リング状の操作部材２０は、図１から図３に良く示されるように、中央に形成された開口部２１と、使用時に手動操作を行う部位とされる把持部２２と、把持部２２の外周縁に形成された歯部２３と、鍔部２５と、を有して構成されている。詳しくは、歯部２３は、把持部２２の外周縁に沿って円弧状に２箇所形成されている。
また、歯部２３が形成されたその他の外周縁部位には、鍔部２５が形成されており、その端側部位には切欠き部２４が形成されている。この切欠き部２４は、操作部材２０をリテイナー４０に装着する際の嵌め入れ部位として機能する。すなわち、操作部材２０の切欠き部２４をリテイナー４０に形成された嵌合爪４４に嵌め入れて回動させると、嵌合爪４４が鍔部２５に嵌合して鍔部２５の厚み方向への移動を規制する。なお、操作部材２０は、図４に良く示されるように、内部に形成された突出部位２６がリテイナー４０の摺動面４１ａに当接状態とされており、操作部材２０の回動操作を行うと、この突出部位２６が摺動面４１ａ上を摺動する。このようにして、操作部材２０がリテイナー４０に対して回動可能に配置されている。
【００１３】
次に、歯車５０は、図２及び図３に良く示されるように、リテイナー４０の隅位置（２箇所）に回動可能に配置されている。具体的には、歯車５０は、上側歯部５１と下側歯部５２とから成り、上側歯部５１が前述した操作部材２０に形成された歯部２３にそれぞれ噛合わせ状態とされている。したがって、操作部材２０を回動操作することで、これら噛合わせ状態にある２つの歯車５０は、同時に回動（同一方向に）する。
また、２つの歯車５０のそれぞれには、ギヤダンパー６０が接続されている。詳しくは、ギヤダンパー６０は、ハウジング６２に対して歯部６１が相対回動可能に形成されている。そして、歯部６１が歯車５０の上側歯部５１と噛合わせ状態とされ、ハウジング６２がリテイナー４０に対して相対回転不可に固定されている。このギヤダンパー６０によれば、ハウジング６２内部に充満された流動体による粘性抵抗によって、入力された回動力を内部的に損失させる。すなわち、このギヤダンパー６０と接続状態にある歯車５０の回動運動に対して一定の抵抗力を付与することができる。ここで、ギヤダンパー６０が本発明のダンパー手段に相当する。
【００１４】
次に、板状に形成された２つの蓋部材３０は、図２及び図５に良く示されるように、後述するリテイナー４０の案内部４２内に挿入されて摺動可能状態で配置されている。詳しくは、図５に良く示されるように、蓋部材３０の横縁側部位３２には歯部３２ａが形成されており、前述した歯車５０の下側歯部５２と噛合わせ状態とされている。更に、横縁側部位３２のその他の部位には、歯部３２ａと突出量の等しい凸部３２ｂが複数形成されており、これら凸部３２ｂがリテイナー４０の案内部４２に当接状態となっている。更に、図４に良く示されるように、蓋部材３０の下面には横縁側部位３２の形成方向に凸条３３が複数形成されており、後述するカップ保持具７０の案内部７１に形成された凹条７１ａに緩やかに嵌合する構成とされている。
したがって、操作部材２０の回動操作を行って歯車５０を回動させると、この回動力は、歯車５０の下側歯部５２を介して蓋部材３０の歯部３２ａに伝達される。これにより、蓋部材３０は、図５に良く示されるように、リテイナー４０の案内部４２に沿って水平方向移動運動を行う。換言すると、操作部材２０の回動運動は、操作部材２０と蓋部材３０とを連結する歯車５０によって、蓋部材３０の水平方向移動運動に変換される。このとき、蓋部材３０は、案内部４２に当接状態の凸部３２ｂによって、進行方向の横方向への移動が抑止されるため、ガタツキが抑えられて滑らかに摺動する。
【００１５】
次に、図２及び図５に良く示されるように、２つの蓋部材３０の前縁側部位３１は、互いに突合されて嵌合する曲面形状とされている。詳しくは、一方側の前縁側部位３１が全体として凸状に張出した形状とされ、他方側の前縁側部位３１が全体として凹状に窪んだ形状とされている。そして、これら蓋部材３０は、前縁側部位３１が向き合わされるようにして配置されている。
また、操作部材２０の回動操作を行うと、蓋部材３０に対して反対側に配置された２つの歯車５０は同時に同一方向に回動する。したがって、歯車５０に連結状態とされている２つの蓋部材３０は、共に水平方向移動運動を行って相対的に接近方向または離間方向に移動する。そして、図５に良く示されるように、２つの蓋部材３０が相対的に接近方向に移動して、それぞれの前縁側部位３１が突合されて嵌合されると、上面開口部１１は閉鎖状態となる。このとき、蓋部材３０の上面に形成された係止爪３４が、リテイナー４０に形成された係止溝４３に係合し、ストッパーとしての機能をする。
【００１６】
次に、リテイナー４０は、図２に良く示されるように、中央に形成された開口部４１と、上述した蓋部材３０を下方から支持する支持片４２ａを有した案内部４２と、蓋部材３０の係止爪３４に係合する係止溝４３と、を有して構成されている。また、リテイナー４０の隅位置（２箇所）には歯車取付け部４５とダンパー取付け部４６とが形成されており、スクリュー（図示しない）によって歯車５０を回動可能に軸支し、更に、ギヤダンパー６０のハウジング６２を相対回転不可状態に固定している。また、上面には嵌合爪４４が２箇所に形成されており、操作部材２０の鍔部２５の厚み方向への移動を規制している。
【００１７】
次に、カップ保持具７０は、図１及び図４に良く示されるように、前述したリテイナー４０に対して一体的に固定された状態となっている。具体的には、図４に良く示されるように、蓋部材３０の凸条３３に緩やかに嵌合する凹条７１ａが形成された案内部７１と、飲物容器８０を載置可能な底面を有した（有底の）保持部７２と、を有して構成されている。したがって、この案内部７１の凹条７１ａによって、蓋部材３０を移動方向に案内することができる。
【００１８】
続いて、本実施例のカップホルダ１０の使用方法について説明する。
本実施例のカップホルダ１０は、図４及び図６に良く示されるように、アッパーパネル９０に対してリング状の操作部材２０が露出した状態で配置されている。また、ここでは、操作部材２０の回動操作によって、カップホルダ１０の上面開口部１１が開口状態とされているものとする。したがって、この状態のカップホルダ１０に対して、飲物容器８０をセットする場合には、先ず、飲物容器８０を上面開口部１１から挿入する。これにより、飲物容器８０はカップ保持具７０の底面の上に載置される。
このとき、飲物容器８０の胴部の径が上面開口部１１の径よりも小さい場合、すなわち、両者の間に隙間が形成される場合には、操作部材２０の回動操作を行って、２つの蓋部材３０を相対的に接近方向に移動（水平方向に摺動）させる。これにより、蓋部材３０の前縁側部位３１が飲物容器８０の胴部にそれぞれ当接して、飲物容器８０を側方から支持した状態となる。
次に、飲物容器８０をカップ保持具７０から取出した状態において、操作部材２０を回動操作して、２つの蓋部材３０を接近方向に移動させる。すると、図５に良く示されるように、蓋部材３０のそれぞれの前縁側部位３１が接近して突合されるため、上面開口部１１が閉鎖状態となる。なお、操作部材２０を反対方向に回動させれば、蓋部材３０が相対的に離間方向に移動するため、上面開口部１１が開放状態となる。このような簡単な操作（操作部材２０の回動操作）によって、カップホルダ１０の開閉操作が行える。
【００１９】
このように、本実施例のカップホルダ１０は、リング状の操作部材２０の回動操作を行うと、２つの蓋部材３０を水平方向に移動させることができる。したがって、蓋部材３０の前縁側部位３１が突合わされる位置まで回動操作を行うという簡単な操作によって、カップホルダ１０の上面開口部１１を閉鎖状態とすることができる。また、上面開口部１１から挿入されて載置された飲物容器８０は、この開閉移動される蓋部材３０によって側方から支持することができる。よって、簡単な操作によって様々な大きさの飲料容器を安定的に保持させるという機能を有しつつ、上面開口部１１から入れた小物などを外部に対して隠蔽した状態にすることができる。なお、操作部材２０を反対方向に回動させれば、上面開口部１１を簡単に開放状態にすることができる。
更に、操作部材２０の回動操作に伴って、２つの蓋部材３０を同時に相対的に接近方向または離間方向に移動させることができるため、開閉操作に必要な操作部材２０の回動量が少なくて済む。
更に、上述もしたように、蓋部材３０は操作部材２０の操作に連動するため、蓋部材３０に摘み等の部位を形成する必要がない。したがって、カップホルダ１０全体の見栄えが損なわれない。また、このような連動機構であるため、カップホルダ１０の機能感や操作感を向上させることができる。
更に、歯車５０に接続されたギヤダンパー６０によって、操作部材２０の回動操作に対して一定の回動抵抗を付与することができる。したがって、カップホルダ１０の操作感を向上させることができ、蓋部材３０の開閉操作を良好に行える。
【００２０】
以上、本発明の実施形態を１つの実施例について説明したが、本発明は上記実施例のほか各種の形態で実施できるものである。
すなわち、本実施例においては、リング状の操作部材２０の回動運動を蓋部材３０の水平方向移動運動に変換して伝達する機構（本発明の変換伝達機構に相当する）を、歯車５０を用いた歯車伝達の組合わせで構成されるようにしたものを示したが、例えば、図７に示すようなリンク機構１００にしたものであってもよい。すなわち、一端部位１０１を操作部材１０３に回動可能に連結し、他端部位１０２を蓋部材１０４に回動可能に連結したアーム部１０５を設け、操作部材１０３の回動力によってアーム部１０５を揺動させて蓋部材１０４を押引するようにしたものであっても、本実施例と同様の作用及び効果を得ることができる。
また、本発明のダンパー手段に相当するギヤダンパー６０を、歯車５０に噛合わせたものを示したが、操作部材２０の歯部２３に噛合わせたり、蓋部材３０の歯部３２ａに噛合わせたものであってもよい。この場合であっても、同様にして、操作部材２０の回動操作に対して一定の回動抵抗を付与することができる。
更に、本実施例においては、操作部材２０の回動操作によって２つの蓋部材３０を連動させるものを示したが、長尺形状に形成した１つの蓋部材を連動させるようにしたものであっても良い。しかし、この場合には、本実施例で示した操作部材２０の回動操作を余計に行う必要がある。
【図面の簡単な説明】
【００２１】
【図１】カップホルダの外観を示す斜視図である。
【図２】カップホルダの主要部についての分解斜視図である。
【図３】図１の平面図である。
【図４】図３のＡ−Ａ線断面図である。
【図５】カップホルダの開閉操作に伴う蓋部材の変位態様を示す図である。
【図６】カップホルダの使用状態を示す図である。
【図７】他の実施例におけるカップホルダの外観を示す斜視図である。
【符号の説明】
【００２２】
１０    カップホルダ
１１    上面開口部
２０    操作部材
２１    開口部
２２    把持部
２３    歯部（変換伝達機構）
２４    切欠き部
２５    鍔部
２６    突出部位
３０    蓋部材
３１    前縁側部位
３２    横縁側部位
３２ａ  歯部（変換伝達機構）
３２ｂ  凸部
３３    凸条
３４    係止爪
４０    リテイナー
４１    開口部
４１ａ  摺動面
４２    案内部
４２ａ  支持片
４３    係止溝
４４    嵌合爪
４５    歯車取付け部
４６    ダンパー取付け部
５０    歯車（変換伝達機構）
５１    上側歯部
５２    下側歯部
６０    ギヤダンパー（ダンパー手段）
６１    歯部
６２    ハウジング
７０    カップ保持具
７１    案内部
７１ａ  凹条
７２    保持部
８０    飲物容器
９０    アッパーパネル
１００  リンク機構
１０１  一端部位
１０２  他端部位
１０３  操作部材
１０４  蓋部材
１０５  アーム部
【図１】
2005297812.tif 000003
【図２】
2005297812.tif 000004
【図３】
2005297812.tif 000005
【図４】
2005297812.tif 000006
【図５】
2005297812.tif 000007
【図６】
2005297812.tif 000008
【図７】
2005297812.tif 000009